(57)【要約】【課題】  低コスト性及び汎用性に優れるとともに、信頼性，多機能性及び利便性に優れ、しかも保管性に優れる浴槽用空気袋を提供する。【解決手段】  浴槽Ｂの中に収容して使用する浴槽用空気袋１であって、少なくとも浴槽Ｂ内の温度に耐える耐熱性を有し、かつ気密性を有する柔軟なシート素材Ｓにより形成した複数の小袋部２ａ，２ｂ，２ｃ，２ｄを結合し又は結合可能に構成するとともに、各小袋部２ａ…に、空気の封入口３ａ，３ｂ，３ｃ，３ｄをそれぞれ設けることにより、各小袋部２ａ…を選択的に膨らませる。【選択図】  図１
2005328927.tif 000002
【特許請求の範囲】
【請求項１】
浴槽の中に収容して使用する浴槽用空気袋において、少なくとも浴槽内の温度に耐える耐熱性を有し、かつ気密性を有する柔軟なシート素材により形成した複数の小袋部を結合し又は結合可能に構成するとともに、各小袋部に、空気の封入口をそれぞれ設けることにより、各小袋部を選択的に膨らませることができるようにしたことを特徴とする浴槽用空気袋。
【請求項２】
前記各小袋部の形状は、直方体状に形成したことを特徴とする請求項１記載の浴槽用空気袋。
【請求項３】
前記各小袋部の外面には、他の小袋部に対して着脱する着脱部を設けることを特徴とする請求項１又は２記載の浴槽用空気袋。
【請求項４】
前記着脱部に対して固定し又は着脱可能にし、かつ浴槽の内壁面に着脱する一又は二以上の吸盤部を備えることを特徴とする請求項３記載の浴槽用空気袋。
【発明の詳細な説明】
【技術分野】
【０００１】
本発明は、浴槽の中に収容して使用する浴槽用空気袋に関する。
【背景技術】
【０００２】
従来、一般住宅等に設置する浴槽は、容積が固定された単純な箱形状に形成されているため、家族構成の変化などにより、例えば、一人で入浴する場合には、浴槽が大きすぎて湯量に無駄を生じたり、或いは親子で入浴する場合には、浴槽が小さすぎてゆとりをもって入浴できないなどの不都合を生じやすい。
【０００３】
一方、このような不都合に対処するため、必要に応じて容積を変更できるようにした浴槽も、特開平６−２５３９９４号公報及び特開平１０−３２８０６３号公報で知られている。これらの浴槽は、いずれも浴槽本体の内部に溝を設けるとともに、この溝に別途用意した仕切板を差し込み、浴槽の内部を二分割することにより、浴槽の容積を変更できるようにしたものである。
【特許文献１】特開平６−２５３９９４号
【特許文献２】特開平１０−３２８０６３号
【発明の開示】
【発明が解決しようとする課題】
【０００４】
しかし、仕切板を利用した従来の浴槽は、次のような問題点があった。
【０００５】
第一に、浴槽本体の内部に溝を設ける必要があるとともに、仕切板と浴槽本体間における十分なシーリングを確保する必要があるなど、構造が複雑で正確性が要求されるため、低コストに実施できない。
【０００６】
第二に、浴槽本体と仕切板が対になった専用浴槽として構成されるため、仕切板を一般的な既存の浴槽には使用することができないなど、汎用性に劣る。
【０００７】
第三に、仕切板が汚れたり差し込んだ仕切板がズレるなどによって隙間が発生し、この隙間から湯が漏れる虞れがあるとともに、万が一、湯が漏れた場合には、湯を戻すことが容易にできないなど、信頼性に劣る。
【０００８】
第四に、浴槽本体の容積を増減する機能のみであり、他の異なる機能を持たせることができないため、多機能性及び利便性に劣る。
【０００９】
第五に、浴槽本体の一面に相当する大きさの仕切板が必要になるため、仕切板を保管する場合には広い保管スペースが取られるなど、保管性に劣る。
【００１０】
本発明は、このような背景技術に存在する課題を解決した浴槽用空気袋の提供を目的とするものである。
【課題を解決するための手段】
【００１１】
本発明は、浴槽Ｂの中に収容して使用する浴槽用空気袋１であって、少なくとも浴槽Ｂ内の温度に耐える耐熱性を有し、かつ気密性を有する柔軟なシート素材Ｓにより形成した複数の小袋部２ａ，２ｂ，２ｃ，２ｄを結合し又は結合可能に構成するとともに、各小袋部２ａ…に、空気の封入口３ａ，３ｂ，３ｃ，３ｄをそれぞれ設けることにより、各小袋部２ａ…を選択的に膨らませることができるようにしたことを特徴とする。
【００１２】
この場合、発明の好適な態様により、各小袋部２ａ…の形状は、直方体状に形成することができる。また、各小袋部２ａ…の外面には、他の小袋部２ｂ…に対して着脱する着脱部４ａｐ，４ａｑ，４ｂｐ，４ｂｑ…を設けることができる。一方、着脱部４ａｐ…に対して固定し又は着脱可能にし、かつ浴槽Ｂの内壁面Ｂｉに着脱する一又は二以上の吸盤部５ａ…を備えることができる。
【発明の効果】
【００１３】
このような構成を有する本発明に係る浴槽用空気袋１によれば、次のような顕著な効果を奏する。
【００１４】
（１）  一般的な浴槽Ｂの中にそのまま収容して使用できるため、従来のように、浴槽Ｂに溝を設けたりシーリング性の高い仕切板を用意する必要がなく、低コストに実施できる。また、一般的な既存の浴槽Ｂにもそのまま使用できるため、汎用性に優れる。
【００１５】
（２）  仕切板を使用する際における隙間が発生しないため、隙間から湯が漏れる虞れがなく、信頼性に優れるとともに、イスやベッド等の各種機能を持たせることができるため、多機能性及び利便性に優れる。
【００１６】
（３）  浴槽用空気袋１を使用しないときは、空気を抜いて偏平にできるとともに、折り畳むことにより更に小さくすることができるため、保管スペースが少なくて済み、保管性に優れる。
【００１７】
（４）  好適な態様により、各小袋部２ａ…の形状を、直方体状に形成すれば、各小袋部２ａ…同士の組み合わせが容易となり、多様な各種形態を得ることができる。
【００１８】
（５）  好適な態様により、各小袋部２ａ…の外面に、他の小袋部２ｂ…に対して着脱する着脱部４ａｐ…を設ければ、各小袋部２ａ…同士を容易に一体化させることができ、使用時の安定性を高めることができる。
【００１９】
（６）  好適な態様により、着脱部４ａｐ…に対して固定し又は着脱可能にし、かつ浴槽Ｂの内壁面Ｂｉに着脱する吸盤部５ａ…を設ければ、浴槽用空気袋１を浴槽Ｂの内部に確実に固定することができ、使用時の更なる安定性を高めることができる。
【発明を実施するための最良の形態】
【００２０】
次に、本発明に係る最良の実施形態を挙げ、図面に基づき詳細に説明する。
【００２１】
まず、本実施形態に係る浴槽用空気袋１の構成について、図１〜図３を参照して説明する。
【００２２】
浴槽用空気袋１は、複数（例示は四つ）の小袋部２ａ，２ｂ，２ｃ，２ｄを備える。各小袋部２ａ…は、少なくとも浴槽Ｂ内の温度に耐える耐熱性を有し、かつ気密性を有する柔軟なシート素材Ｓにより形成するとともに、全体の形状を直方体状に形成する。また、各小袋部２ａ…の側面には、空気の封入口３ａ，３ｂ，３ｃ，３ｄをそれぞれ設ける。一つの封入口３ａ（他の封入口３ｂ…も同じ）は、内部に弁（逆止弁）を有しており、この封入口３ａを通して小袋部２ａの内部に空気を封入できる。そして、封入された空気は弁によって外部への漏れが阻止される。一方、封入口３ａを手で外部から押操作するなどにより弁を開けば、封入口３ａを通して小袋部２ａ内の空気を外部に排出できる。このように、各小袋部２ａ…にそれぞれ封入口３ａ…を設けたため、各小袋部２ａ…を選択的に膨らませることができる。
【００２３】
一方、小袋部２ａの一辺と小袋部２ｂの一辺は、図３に示すように、連結シート１１により連結する。同様に、小袋部２ｂの一辺と小袋部２ｃの一辺、小袋部２ｃの一辺と小袋部２ｄの一辺もそれぞれ図２に示すように同様の連結シート１１…により順次連結する。また、各小袋部２ａ…の外面には、他の小袋部２ｂ…に対して着脱する着脱部４ａｐ，４ａｑ，４ａｒ，４ａｓ，４ｂｐ，４ｂｑ…を設ける。着脱部４ａｐ…としては、面ファスナ或いは防水性を考慮したマグネット等を利用することができる。例示の実施形態は、面ファスナを利用し、図１に示すように、各小袋部２ａ…同士が対向する面の左右にそれぞれ一つずつ配した。
【００２４】
他方、着脱部４ａｐ…に対して着脱可能となり、かつ浴槽Ｂの内壁面Ｂｉに着脱する複数の吸盤部５ａ…を別途用意する。吸盤部５ａは、図３に示すように、吸盤本体部５ａｍと、この裏面に固定した被着脱部５ａｒからなり、この被着脱部５ａｒを着脱部４ａｐ…に対して着脱させることができる。矢印Ｆｆは吸盤部５ａの着脱方向を示す。
【００２５】
次に、本実施形態に係る浴槽用空気袋１の使用方法について、図１〜図８を参照して説明する。
【００２６】
まず、浴槽用空気袋１を使用しない保管時には、各封入口３ａ…から各小袋部２ａ…内の空気を抜けばよい。これにより、浴槽用空気袋１は、図４に示すように、偏平状態にすることができるとともに、更に、折り畳むことにより、より小型コンパクトにすることができる。このように、浴槽用空気袋１は、保管スペースが少なくて済むため、保管性に優れる。
【００２７】
一方、浴槽用空気袋１を使用する際には、各小袋部２ａ…を選択して空気を封入することにより、空気を封入した一又は二以上の任意の小袋部２ａ…を組み合わせて使用することができる。例えば、図１は、四つの小袋部２ａ…を全て組み合わせた第一の使用例を示す。この使用例は、四つの小袋部２ａ…を全て膨らませるとともに、四つの小袋部２ａ…を上下二段及び前後二列に配したものであり、比較的大きい容積を有する浴槽Ｂに収容することにより、実質的な容積を減少させることができる。この場合、各小袋部２ａ…相互における対向する着脱部（４ａｐ…）同士を装着する。これにより、各小袋部２ａ…同士を結合して一体化することができるため、使用時の安定性を高めることができる。また、浴槽Ｂの内面Ｂｉに対向する着脱部４ａｒ…には吸盤部５ａ…の被着脱部５ａｒ…を装着するとともに、吸盤部５ａ…の吸盤本体部５ａｍ…を浴槽Ｂの内面Ｂｉに吸着する。これにより、浴槽用空気袋１を浴槽Ｂの内部に確実に固定できるため、使用時の更なる安定性を高めることができる。
【００２８】
他方、図５は、三つの小袋部２ａ…を組み合わせた第二の使用例を示す。この使用例は、三つの小袋部２ａ，２ｂ，２ｃを膨らませるとともに、二つの小袋部２ａ，２ｂを下段の前後に配し、一つの小袋部２ｃを上段の後に配したものであり、入浴者Ｈが湯中に腰掛けることができるイスとして利用できる。この場合も、各小袋部２ａ…相互における対向する着脱部（４ａｐ…）同士を装着するとともに、浴槽Ｂの内面Ｂｉに対向する着脱部４ａｐ…には吸盤部５ａ…を装着する。なお、Ｌは湯面を示す（図６〜図８も同じ）。
【００２９】
図６は、二つの小袋部２ｂ…を組み合わせた第三の使用例を示す。この使用例は、二つの小袋部２ｂ，２ｃを膨らませたものであり、湯中で子供を座らせることができる子供用シートとして利用できる。即ち、背の低い幼児等の子供Ｈｃを浴槽用空気袋１の上に座らせ、母親Ｈｐと一緒に入浴させることができる。この場合も、各小袋部２ｂ…相互における対向する着脱部（４ｂｐ…）同士を装着するとともに、浴槽Ｂの内面Ｂｉに対向する着脱部（４ａｒ…）には吸盤部５ａ…を装着する。
【００３０】
図７は、四つの小袋部２ａ…を組み合わせた第四の使用例を示す。この使用例は、四つの小袋部２ａ…を全て膨らませるとともに、四つの小袋部２ａ…を前後一列に配したものであり、入浴者Ｈが横たわるベッドとして利用できる。この場合も、各小袋部２ａ…相互における対向する着脱部（４ａｐ…）同士を装着するとともに、浴槽Ｂの内面Ｂｉに対向する着脱部（４ａｐ…）には吸盤部５ａ…を装着する。
【００３１】
図８は、二つの小袋部２ｂ…を組み合わせた第五の使用例を示す。この使用例は、二つの小袋部２ｂ，２ｃを膨らませるとともに、上下二段に配したものであり、比較的小さい容積を有する浴槽Ｂに収容することにより、例えば、一人の入浴者Ｈが入浴する際に実施的な容積を更に減少させることができる。この場合も、各小袋部２ｂ…相互における対向する着脱部（４ａｐ…）同士を装着するとともに、浴槽Ｂの内面Ｂｉに対向する着脱部（４ａｐ…）には吸盤部５ａ…を装着する。
【００３２】
よって、このような本実施形態に係る浴槽用空気袋１は、一般的な浴槽Ｂの中にそのまま収容して使用できるため、従来のように、浴槽Ｂに溝を設けたりシーリング性の高い仕切板を用意する必要がなく、低コストに実施できる。また、一般的な既存の浴槽Ｂにもそのまま使用できるため、汎用性に優れる。さらに、仕切板を使用する際における隙間が発生しないため、隙間から湯が漏れる虞れがなく、信頼性に優れるとともに、イスやベッド等の各種機能を持たせることができるため、多機能性及び利便性に優れる。
【００３３】
一方、浴槽用空気袋１を使用しないときは、空気を抜いて偏平にできるとともに、折り畳むことにより更に小さくすることができるため、保管スペースが少なくて済み、保管性に優れる。また、各小袋部２ａ…の形状を、直方体状に形成したため、各小袋部２ａ…同士の組み合わせが容易となり、多様な各種形態を得ることができる。他方、各小袋部２ａ…の外面には、他の小袋部２ｂ…に対して着脱する着脱部４ａｐ…を設けたため、各小袋部２ａ…同士を容易に一体化させることができ、使用時の安定性を高めることができるとともに、着脱部４ａｐ…に対して着脱可能にし、かつ浴槽Ｂの内壁面Ｂｉに着脱する吸盤部５ａ…を備えるため、浴槽用空気袋１を浴槽Ｂの内部に確実に固定することができ、使用時の更なる安定性を高めることができる。
【００３４】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３５】
例えば、小袋部２ａ…は、四つの場合を例示したが、二つ又は三つ、或いは五以上であってもよい。また、各小袋部２ａ…は、連結シート１１…により連結した場合を示したが、連結することなくそれぞれ独立した状態で用意し、使用する際に各着脱部４ａｐ…を利用して結合（一体化）してもよい。即ち、独立した各小袋部２ａ…同士を結合可能に構成してもよい。さらに、連結シート１１…は一枚のシートにより形成した場合を示したが、二分割し、分割したシート部分のそれぞれにファスナ（チャック）を取付けることにより、着脱できるようにしてもよい。一方、吸盤部５ａ…は、着脱部４ａｐ…に対して着脱可能に構成した場合を例示したが、吸盤部５ａ…は、各小袋部２ａ…に予め固定した状態であってもよい。なお、各小袋部２ａ…の形状は、直方体状に形成した場合を例示したが、形状は直方体状に限定されるものではない。その他、必要により一枚又は二枚以上の平坦な着座板を用意し、小袋部２ａ…が柔らかすぎる場合には、着座板を小袋部２ａ…の上に載せ、着座板の上に着座するようにしてもよい。
【図面の簡単な説明】
【００３６】
【図１】本発明の実施形態に係る浴槽用空気袋の第一の使用例を示す斜視図、
【図２】同浴槽用空気袋の側面図、
【図３】同浴槽用空気袋の一部を示す破断部分を含む拡大側面図、
【図４】同浴槽用空気袋の空気を抜いた状態を示す斜視図、
【図５】同浴槽用空気袋の第二の使用例を示す説明図、
【図６】同浴槽用空気袋の第三の使用例を示す説明図、
【図７】同浴槽用空気袋の第四の使用例を示す説明図、
【図８】同浴槽用空気袋の第五の使用例を示す説明図、
【符号の説明】
【００３７】
１        浴槽用空気袋
２ａ…    小袋部
３ａ…    封入口
４ａｐ…  着脱部
５ａ…    吸盤部
Ｓ        シート素材
Ｂ        浴槽
Ｂｉ      浴槽の内壁面
【図１】
2005328927.tif 000003
【図２】
2005328927.tif 000004
【図３】
2005328927.tif 000005
【図４】
2005328927.tif 000006
【図５】
2005328927.tif 000007
【図６】
2005328927.tif 000008
【図７】
2005328927.tif 000009
【図８】
2005328927.tif 000010